(57)【要約】【課題】温度センサの出力信号をリニアリティ良く外部出力することのできるセンサ信号出力回路を提供する。【解決手段】温度センサの出力信号を増幅するバッファアンプと、このバッファアンプの出力電圧を増幅する演算増幅器と、所定振幅の三角波信号を発生する発振器と、前記三角波信号と前記演算増幅器の出力電圧とを比較して該出力電圧に応じたパルス幅のＰＷＭ信号を生成するコンパレータとを具備する。そして前記演算増幅器のオフセット調整用抵抗を調整して第１の温度における前記バッファアンプの出力電圧と前記演算増幅器の入力端子電圧とを等しく設定した後、前記ＰＷＭ信号のパルス幅が前記第１の温度において規定された第１のパルス幅となるように前記三角波信号の振幅を設定し、その後、前記第１の温度とは異なる第２の温度における前記ＰＷＭ信号のパルス幅が前記第２の温度において規定された第２のパルス幅となるように前記演算増幅器のゲイン調整用抵抗を設定する。【選択図】      図１
2015070481.tif 000002
【特許請求の範囲】
【請求項１】
温度センサの出力信号を増幅して出力するバッファアンプと、
抵抗を介して上記バッファアンプの出力電圧を反転入力端子に入力すると共に、オフセット調整用抵抗を介して基準電圧を分圧して非反転入力端子に入力し、前記反転入力端子と出力端子との間にゲイン調整用抵抗を設けた演算増幅器と、
所定振幅の三角波信号を発生する発振器と、
前記三角波信号と前記演算増幅器の出力電圧とを比較して該出力電圧に応じたパルス幅のＰＷＭ信号を生成するコンパレータと、
前記オフセット調整用抵抗を調整して第１の温度における前記バッファアンプの出力電圧と前記演算増幅器の反転入力端子電圧とを等しくするオフセット調整手段と、
前記オフセット調整用抵抗を設定した条件下において前記ＰＷＭ信号のパルス幅が前記第１の温度において規定された第１のパルス幅となるように前記三角波信号の振幅を調整する振幅調整手段と、
前記三角波信号の振幅を設定した条件下で前記ＰＷＭ信号のパルス幅が前記第１の温度とは異なる第２の温度において規定された第２のパルス幅となるように前記ゲイン調整用抵抗を調整するゲイン調整手段と
を具備したことを特徴とするセンサ信号出力回路。
【請求項２】
前記温度センサは、温度変化に対して線形な出力特性を有する温度検出用ダイオードである請求項１に記載のセンサ信号出力回路。
【請求項３】
前記オフセット調整手段は、前記演算増幅器の非反転入力端子に加えるオフセット電圧が前記第１の温度における前記バッファアンプの出力電圧と等しくなるように前記オフセット調整用抵抗を調整するものである請求項１に記載のセンサ信号出力回路。
【請求項４】
温度センサの出力信号を増幅して出力するバッファアンプと、
抵抗を介して上記バッファアンプの出力電圧を反転入力端子に入力すると共に、オフセット調整用抵抗を介して基準電圧を分圧して非反転入力端子に入力し、前記反転入力端子と出力端子との間にゲイン調整用抵抗を設けた演算増幅器と、
所定振幅の三角波信号を発生する発振器と、
前記三角波信号と前記演算増幅器の出力電圧とを比較して該出力電圧に応じたパルス幅のＰＷＭ信号を生成するコンパレータとを具備したセンサ信号出力回路において、
第１の温度における前記バッファアンプの出力電圧と前記演算増幅器の反転入力端子電圧とが等しくなるように前記オフセット調整用抵抗を設定した後、
前記ＰＷＭ信号のパルス幅が前記第１の温度において予め規定された第１のパルス幅となるように前記三角波信号の振幅を設定し、
その後、前記第１の温度とは異なる第２の温度における前記ＰＷＭ信号のパルス幅が前記第２の温度において予め規定された第２のパルス幅となるようにゲイン調整用抵抗を設定することを特徴とするセンサ信号出力回路の調整方法。
【請求項５】
前記温度センサは、温度変化に対して線形な出力特性を有する温度検出用ダイオードである請求項４に記載のセンサ信号出力回路の調整方法。
【請求項６】
前記オフセット調整用抵抗は、前記演算増幅器の非反転入力端子に加えるオフセット電圧が前記第１の温度における前記バッファアンプの出力電圧と等しくなるように調整される請求項４に記載のセンサ信号出力回路の調整方法。
【請求項７】
温度センサの出力信号を増幅して出力するバッファアンプと、
抵抗を介して上記バッファアンプの出力電圧を反転入力端子に入力すると共に、オフセット調整用抵抗を介して基準電圧を分圧して非反転入力端子に入力し、前記反転入力端子と出力端子との間にゲイン調整用抵抗を設けた演算増幅器と、
予め目標振幅に近い値として設定された所定振幅の三角波信号を発生する発振器と、
前記三角波信号と前記演算増幅器の出力電圧とを比較して該出力電圧に応じたパルス幅のＰＷＭ信号を生成するコンパレータと、
前記オフセット調整用抵抗を調整して第１の温度における前記バッファアンプの出力電圧と前記演算増幅器の反転入力端子電圧とを等しくするオフセット調整手段と、
前記ＰＷＭ信号のパルス幅が前記第１の温度とは異なる第２の温度において規定された第２のパルス幅となるように前記ゲイン調整用抵抗を調整するゲイン調整手段と
を具備したことを特徴とするセンサ信号出力回路。
【請求項８】
前記予め目標振幅は、前記第１の温度における前記ＰＷＭ信号のパルス幅が、予め設定されたパルス幅となるように定められるものである請求項７に記載のセンサ信号出力回路。
【請求項９】
温度センサの出力信号を増幅して出力するバッファアンプと、
抵抗を介して上記バッファアンプの出力電圧を反転入力端子に入力すると共に、オフセット調整用抵抗を介して基準電圧を分圧して非反転入力端子に入力し、前記反転入力端子と出力端子との間にゲイン調整用抵抗を設けた演算増幅器と、
所定振幅の三角波信号を発生する発振器と、
前記三角波信号と前記演算増幅器の出力電圧とを比較して該出力電圧に応じたパルス幅のＰＷＭ信号を生成するコンパレータとを具備したセンサ信号出力回路において、
前記発振器における前記三角波信号の振幅を予め求められた目標振幅に近い値に設定すると共に、第１の温度における前記バッファアンプの出力電圧と前記演算増幅器の反転入力端子電圧とが等しくなるように前記オフセット調整用抵抗を設定した後、
前記第１の温度とは異なる第２の温度における前記ＰＷＭ信号のパルス幅が前記第２の温度において予め規定された第２のパルス幅となるようにゲイン調整用抵抗を設定することを特徴とするセンサ信号出力回路の調整方法。
【発明の詳細な説明】
【技術分野】
【０００１】
本発明は、例えば温度センサの出力信号を、温度に対してリニアリティ良く外部出力するに好適なセンサ信号出力回路およびセンサ信号出力回路の調整方法に関する。
【背景技術】
【０００２】
ＩＧＢＴやパワーＭＯＳ-ＦＥＴ等の発熱デバイスを用いた電子回路装置においては、温度センサを用いて上記発熱デバイスやその周囲環境の温度を監視することが行われる。この際、温度検出用ダイオード等の温度変化に対して線形な出力特性を有するセンサの出力電圧を、該出力電圧に応じたパルス幅のＰＷＭ信号に変換して外部出力して監視回路等に通知することも行われている。
【０００３】
図３はこの種のセンサ信号出力回路１の従来一般的な構成例を示している。このセンサ信号出力回路１は、定電流源２により駆動される温度検出用ダイオード３に発生する電圧Ｖfを、演算増幅器４を介して増幅する。前記センサ信号出力回路１は、発振器５が出力する所定振幅の三角波信号と前記演算増幅器４の出力電圧とをコンパレータ６にて比較して該出力電圧に応じたパルス幅のＰＷＭ信号を生成する。そして前記センサ信号出力回路１は、上記ＰＷＭ信号をバッファアンプ７を介して外部出力するように構成される。
【０００４】
ちなみに前記演算増幅器４は、図４に示すように入力抵抗Ｒ１を介してアナログ入力信号Ｖ１を反転入力端子に入力すると共に、参照電圧Ｖ２を入力抵抗Ｒ２と接地抵抗Ｒ４とにより分圧して非反転入力端子に入力する。また前記演算増幅器４の反転入力端子と出力端子との間には帰還抵抗Ｒ３が設けられる。このようにして差動増幅回路を構築した前記演算増幅器４は、基本的には［Ｒ１＝Ｒ２］,［Ｒ３＝Ｒ４］なる条件にて
Ｖout＝（Ｖ２−Ｖ１）Ｒ３／Ｒ１
なる出力電圧Ｖoutを得る。
【０００５】
ところで前記温度検出用ダイオード３の出力電圧Ｖfが温度Ｔの変化に対して線形であっても、その出力特性には素子固有のバラツキがある。この為、前記ＰＷＭ信号のパルス幅が、例えば図５(ａ)に示すように温度Ｔに対して予め定められたパルス幅からずれることがある。尚、図５において実線Ａは補正前の出力特性を、また破線Ｂは目標とする出力特性を示している。このような前記ＰＷＭ信号の温度に対するパルス幅のずれ、即ち、出力特性のずれについては、例えば特許文献１に開示されるように前記演算増幅器４のオフセット電圧とゲインとを調整し、該演算増幅器４の出力電圧を補正することによって行われる。
【０００６】
ちなみに前記演算増幅器４のオフセット電圧の調整は、前記参照電圧Ｖ２を変えることにより、或いは前記入力抵抗Ｒ２と前記接地抵抗Ｒ４との比を変えることによって行われる。また前記演算増幅器４のゲインの調整は、前記入力抵抗Ｒ１と前記帰還抵抗Ｒ３との比を変えることによって行われる。具体的には、先ず図５(ｂ)に示すように第１の温度Ｔ１での前記ＰＷＭ信号のパルス幅Ｄ１に着目して前記演算増幅器４のオフセット電圧を調整し、前記出力特性を実線Ｃに示すように補正する。その後、図５(ｃ)に示すように前記第１の温度Ｔ１とは異なる第２の温度Ｔ２での前記ＰＷＭ信号のパルス幅Ｄ２に着目して前記演算増幅器４のゲインを調整し、前記出力特性を実線Ｄに示すように補正する。
【先行技術文献】
【特許文献】
【０００７】
【特許文献１】特開２００８−５２１７号公報
【発明の概要】
【発明が解決しようとする課題】
【０００８】
しかしながら上述したように前記演算増幅器４のオフセット電圧を調整した後、前記演算増幅器４のゲインを調整すると、例えば図５(ｃ)に示すように前記第１の温度Ｔ１での前記ＰＷＭ信号のパルス幅Ｄ１に新たなずれが生じると言う問題がある。即ち、前記演算増幅器４に対する前記オフセット電圧の調整と前記ゲインの調整とが、互いに独立したパラメータの下で個別に行われるので、前記第１および第２の温度Ｔ１,Ｔ２での前記出力特性の補正が互いに影響し合うことが否めない。この為、前記センサ信号出力回路１の出力特性を、予め定められた目標とする出力特性Ｂに補正するには、前記オフセット電圧の調整と前記ゲインの調整とを交互に繰り返し実行することが必要である。
【０００９】
本発明はこのような事情を考慮してなされたもので、その目的は、例えば温度検出用ダイオードからなるセンサの出力信号を、簡易な調整の下でリニアリティ良く外部出力することのできるセンサ信号出力回路およびセンサ信号出力回路の調整方法を提供することにある。
【課題を解決するための手段】
【００１０】
上述した目的を達成するべく本発明に係るセンサ信号出力回路は、
温度センサの出力信号を増幅して出力するバッファアンプと、
抵抗を介して上記バッファアンプの出力電圧を反転入力端子に入力すると共に、オフセット調整用抵抗を介して基準電圧を分圧して非反転入力端子に入力し、前記反転入力端子と出力端子との間にゲイン調整用抵抗を設けた演算増幅器と、
所定振幅の三角波信号を発生する発振器と、
前記三角波信号と前記演算増幅器の出力電圧とを比較して該出力電圧に応じたパルス幅のＰＷＭ信号を生成するコンパレータと、
前記オフセット調整用抵抗を調整して第１の温度における前記バッファアンプの出力電圧と前記演算増幅器の反転入力端子電圧とを等しくするオフセット調整手段と、
前記オフセット調整用抵抗を設定した条件下において前記ＰＷＭ信号のパルス幅が前記第１の温度において規定された第１のパルス幅となるように前記三角波信号の振幅を調整する振幅調整手段と、
前記三角波信号の振幅を設定した条件下で前記ＰＷＭ信号のパルス幅が前記第１の温度とは異なる第２の温度において規定された第２のパルス幅となるように前記ゲイン調整用抵抗を調整するゲイン調整手段と
を具備したことを特徴としている。
【００１１】
ちなみに前記温度センサは、温度変化に対して線形な出力特性を有する温度検出用ダイオードからなる。そして前記オフセット調整手段は、前記演算増幅器の非反転入力端子に加えるオフセット電圧が前記第１の温度における前記バッファアンプの出力電圧と等しくなるように前記オフセット調整用抵抗を調整する。
【００１２】
また本発明に係るセンサ信号出力回路の調整方法は、上述した構成のセンサ信号出力回路において、
第１の温度における前記バッファアンプの出力電圧と前記演算増幅器の反転入力端子電圧とが等しくなるように前記オフセット調整用抵抗を設定した後、
前記ＰＷＭ信号のパルス幅が前記第１の温度において予め規定された第１のパルス幅となるように前記三角波信号の振幅を設定し、
その後、前記第１の温度とは異なる第２の温度における前記ＰＷＭ信号のパルス幅が前記第２の温度において予め規定された第２のパルス幅となるようにゲイン調整用抵抗を設定することを特徴としている。
【００１３】
好ましくは前記発振器が発生する三角波信号の振幅を、予め目標振幅に近い値として設定しておき、前記第１の温度においてオフセット調整用抵抗を設定した後、前記第２の温度においてゲイン調整用抵抗を設定するようにしても良い。
【発明の効果】
【００１４】
上記構成のセンサ信号出力回路およびセンサ信号出力回路の調整方法によれば、先ず第１の温度Ｔ１における前記バッファアンプの出力電圧と前記演算増幅器の入力端子電圧とが等しくなるように前記オフセット調整用抵抗を調整する。次いでこの設定条件下で前記ＰＷＭ信号のパルス幅が前記第１の温度において予め規定された第１のパルス幅となるように前記三角波信号の振幅を調整する。その上で、第２の温度における前記ＰＷＭ信号のパルス幅が前記第２の温度において予め規定された第２のパルス幅となるように前記ゲイン調整用抵抗を調整する。従って前記演算増幅器のゲインを示す出力特性の傾きは前記第１の温度Ｔ１における前記第１のパルス幅を基準として変化する。
【００１５】
故に本発明によれば前記オフセット調整用抵抗、前記三角波信号の振幅、および前記ゲイン調整用抵抗を順に調整するだけで、前記センサ信号出力回路の出力特性を予め規定されたパルス幅のＰＷＭ信号を出力するように、簡易に設定することができる。従って従来のセンサ信号出力回路のように演算増幅器に対するオフセット調整とゲイン調整を繰り返し行う必要がない。故に温度センサの出力電圧を示すパルス幅のＰＷＭ信号を、簡易にリニアリティ良く得ることができ、その実用的利点が多大である。
【図面の簡単な説明】
【００１６】
【図１】本発明の一実施形態に係るセンサ信号出力回路の要部概略構成図。
【図２】図１に示すセンサ信号出力回路における出力特性の調整手順を示す図。
【図３】従来のセンサ信号出力回路の一例を示す要部概略構成図。
【図４】演算増幅器を用いた差動増幅回路の構成を示す図。
【図５】図３に示すセンサ信号出力回路における一般的な出力特性の調整手順を示す図。
【発明を実施するための形態】
【００１７】
以下、図面を参照して本発明に係るセンサ信号出力回路とその調整方法について説明する。
【００１８】
図１は本発明の一実施形態に係るセンサ信号出力回路１０の要部概略構成図である。このセンサ信号出力回路１０は、ＩＧＢＴ等の発熱デバイスに組み込まれた温度検出用ダイオード１１の出力電圧ＶＦを入力し、該出力電圧ＶＦに相当するパルス幅のＰＷＭ信号を生成して外部出力する。前記温度検出用ダイオード１１は温度Ｔの変化に対して線形な出力特性を有するもので、定電流源１２により駆動されて温度Ｔに応じた出力電圧ＶＦを生起する。
【００１９】
前記センサ信号出力回路１０は、前記温度検出用ダイオード１１の出力電圧ＶＦを入力して増幅するバッファアンプ１３と、このバッファアンプ１３の出力電圧ＶＦ２を増幅する演算増幅器１４を備える。更に前記センサ信号出力回路１０は、発振器１５が生成する三角波信号と前記演算増幅器１４の出力電圧Ｖoutとを比較して該出力電圧Ｖoutに応じたパルス幅のＰＷＭ信号を生成するコンパレータ１６を備える。このコンパレータ１６が生成したＰＷＭ信号は、ＭＯＳ-ＦＥＴ１７からなる出力回路を介して外部出力される。
【００２０】
前記バッファアンプ１３は、抵抗１３ａを介して前記温度検出用ダイオード１１の出力電圧ＶＦを非反転端子に入力すると共に、抵抗１３ｂを介して反転入力端子を接地し、出力端子と前記反転入力端子との間に帰還抵抗１３ｃを接続した反転型の増幅回路からなる。尚、前記バッファアンプ１３の非反転端子は、コンデンサ１３ｄを介して接地されている。このコンデンサ１３ｄにより前記温度検出用ダイオード１１の出力電圧ＶＦに含まれるノイズ成分が除去される。
【００２１】
ちなみに前記バッファアンプ１３の増幅率は、前記抵抗１３ｂの値ｒ１と前記抵抗１３ｃの値ｒ２とにより規定される。そして前記バッファアンプ１３は、前記温度検出用ダイオード１１の出力電圧ＶＦに対して
ＶＦ２＝ＶＦ・（ｒ１＋ｒ２）／ｒ１
なる出力電圧ＶＦ２を得る。
【００２２】
一方、前記演算増幅器１４は、抵抗１４ａを介して前記バッファアンプ１３の出力電圧ＶＦ２を反転端子に入力すると共に、オフセット調整用抵抗１４ｂを介して基準電圧Ｖrefを分圧したオフセット電圧を非反転入力端子に入力する。更に前記演算増幅器１４は、前記反転入力端子と出力端子との間にゲイン調整用抵抗１４ｃを設けることで反転型の増幅回路を構築している。
【００２３】
前記オフセット調整用抵抗１４ｂは、例えば一対の端子間に印加される前記基準電圧Ｖrefを分圧して出力する中間端子を備えた可変抵抗器からなる。このオフセット調整用抵抗１４ｂは、オフセット調整手段２１により前記中間端子による前記基準電圧Ｖrefの分圧電圧を可変することで、前記演算増幅器１４の非反転端子に与えるオフセット電圧を調整する役割を担う。
【００２４】
また前記ゲイン調整用抵抗１４ｃは、所定の範囲で抵抗値を可変可能な可変抵抗器からなる。このゲイン調整用抵抗１４ｃは、ゲイン調整手段２２により抵抗値が可変設定されることで、該ゲイン調整用抵抗１４ｃと前記抵抗１４ａとの抵抗値比により規定される前記演算増幅器１４のゲインを調整する役割を担う。
【００２５】
尚、前記演算増幅器１４の出力電圧Ｖoutは、抵抗１６ａを介して前記コンパレータ１６の反転入力端子に与えられる。また前記コンパレータ１６の反転入力端子は、コンデンサ１６ｂを介して接地されている。このコンデンサ１６ｂにより前記出力電圧Ｖoutに含まれるノイズ成分が除去されて前記コンパレータ１６に入力される。また前記コンパレータ１６の非反転端子に前記三角波信号を入力する前記発振器１５は、振幅調整手段２３により前記三角波信号の振幅を可変設定し得るように構成されている。
【００２６】
そして前記コンパレータ１６は、前記三角波信号の電圧が前記出力電圧Ｖoutに満たないときにＬレベルの信号を出力し、前記三角波信号の電圧が前記出力電圧Ｖoutを超えたときにＨレベルの信号を出力することで、前記出力電圧Ｖoutに応じたパルス幅のＰＷＭ信号を生成する。このコンパレータ１６が生成したＰＷＭ信号は、前記ＭＯＳ-ＦＥＴ１７を介して論理反転されて外部出力される。
【００２７】
このように構成されたセンサ信号出力回路１０の出力特性の補正は次のようにして実行される。ここで前記センサ信号出力回路１０に対して要求される仕様が、図２(ａ)に出力特性Ｂとして示すように前記センサ信号出力回路１０から第１の温度Ｔ１においてパルス幅Ｄ１の前記ＰＷＭ信号を外部出力し、また前記第１の温度Ｔ１とは異なる第２の温度Ｔ２においてパルス幅Ｄ２の前記ＰＷＭ信号を外部出力するものとする。
【００２８】
このような出力特性Ｂに対して、前記温度検出用ダイオード１１の出力電圧ＶＦに対する前記センサ信号出力回路１０の出力特性が、図２(ａ)に出力特性Ａとして示すように与えられるものとする。これらの出力特性Ａ,Ｂ間のずれは、専ら、前記温度検出用ダイオード１１の個体性に起因する素子特性のバラツキに原因する。
【００２９】
そこで先ず、前記第１の温度Ｔ１において前記バッファアンプ１３の出力電圧ＶＦ２と、前記演算増幅器１４の反転入力端子の電圧とが等しくなるように該演算増幅器１４に与えるオフセット電圧を調整する。このオフセット電圧の調整は、前記オフセット調整手段２１の下で前記オフセット調整用抵抗１４ｂによる前記基準電圧Ｖrefの分圧比を調整し、前記演算増幅器１４の非反転入力端子の電圧を前記出力電圧ＶＦ２に設定することにより行われる。
【００３０】
すると前記演算増幅器１４の反転入力端子の電圧が前記バッファアンプ１３の出力電圧ＶＦ２と等しくなり、前記抵抗１４ａに電流が流れなくなる。また同時に前記演算増幅器１４の出力端子に生じる出力電圧Ｖoutが該演算増幅器１４の反転入力端子に加わる電圧と等しくなり、前記ゲイン調整用抵抗１４ｃを介して帰還電流が流れることもなくなる。そして前記出力電圧Ｖoutは、前記オフセット調整用抵抗１４ｂを介して調整されたオフセット電圧分だけシフトされる。
【００３１】
次いでこのオフセットの設定条件下において前記振幅調整手段２３を用いて前記三角波信号の振幅を調整する。具体的には前記コンパレータ１６から出力されるＰＷＭ信号のパルス幅Ｄが、前述した第１の温度Ｔ１において規定された第１のパルス幅Ｄ１となるように前記三角波信号の振幅を調整する。この三角波信号の振幅調整により前記オフセット調整と相俟って、前記センサ信号出力回路１０の出力特性が図２(ｂ)に特性Ｃとして示すようにシフトされてオフセット補正される。
【００３２】
ここで重要なことは上述した補正条件は前記第１の温度Ｔ１における前記ＰＷＭ信号のパルス幅Ｄ１の温度特性の傾きが零（０）、つまり前記第１の温度Ｔ１においては必ずパルス幅Ｄ１のＰＷＭ信号が得られることである。従って前記演算増幅器１４のゲインを変化させても、第１の温度Ｔ１における前記ＰＷＭ信号のパルス幅Ｄ１は変化しない。そして前記演算増幅器１４のゲインを変化させた場合、前記センサ信号出力回路１０の出力特性は、前記第１の温度Ｔ１を起点としてその傾きが変化することになる。
【００３３】
そこで上述した設定条件の下で、次に前記ゲイン調整手段２２を用いて前記ゲイン調整用抵抗１４ｃの抵抗値を調整して前記演算増幅器１４のゲインを設定する。この演算増幅器１４のゲイン設定は、前記第１の温度Ｔ１とは異なる第２の温度Ｔ２での前記ＰＷＭ信号のパルス幅Ｄに着目し、該パルス幅Ｄが前記第２の温度Ｔ２で規定されるパルス幅Ｄ２となるように行われる。このゲイン調整用抵抗１４ｃの調整により前記第１の温度Ｔ１を起点として前記センサ信号出力回路１０の出力特性の傾きが設定され、図２(ｃ)に特性Ｅとして示すように前記ＰＷＭ信号のパルス幅Ｄが前記第２の温度Ｔ２おいてパルス幅Ｄ２となるように設定される。
【００３４】
この結果、前記センサ信号出力回路１０の出力特性は、前記第１の温度Ｔ１においてパルス幅Ｄ１のＰＷＭ信号を得、また前記第１の温度Ｔ２においてパルス幅Ｄ２のＰＷＭ信号を得るように設定される。即ち、前記センサ信号出力回路１０の出力特性が、該センサ信号出力回路１０に対して要求される仕様を満たすように設定される。しかも前述したオフセット調整、振幅調整、およびゲイン調整を前記第１および第２の温度Ｔ１,Ｔ２の下で順に実行するだけで、簡易に前記センサ信号出力回路１０の出力特性を補正することができる。
【００３５】
特に本発明によれば、２つの温度条件での前記センサ信号出力回路１０の出力特性に対する補正をそれぞれ独立に実行することができる。つまり前記演算増幅器４に対するオフセット調整とゲイン調整とを分離させ、互いに影響を及ぼすことなく実行することができる。従って従来の出力特性の補正方法のように、オフセット調整とゲイン調整とを繰り返し実行する必要がないので、その実用的利点が多大である。
【００３６】
尚、本発明は上述した実施形態に限定されるものではない。上述した実施形態においてはオフセット調整の後、三角波の振幅調整を行い、その後、ゲイン調整を実行するものとして説明した。しかし、例えば三角波の振幅を予め目標振幅に近い値に固定しておけば、オフセット調整の後、ゲイン調整を実行するだけで前記センサ信号出力回路の出力特性を簡易に調整することが可能となる。ちなみに前記目標振幅については、例えば所定の温度、具体的には第１温度におけるＰＷＭ信号が、予め定めた所定のパルス幅Ｄstdとなるように設定しておけば良い。
【００３７】
またここでは第１の温度Ｔ１を第２の温度Ｔ２よりも高いものとして説明したが、逆の関係であっても勿論良い。更に前記第１および第２の温度Ｔ１,Ｔ２については、前記温度検出用ダイオード１１による温度検出範囲に応じて、可能な限りその温度差を大きく定めることが好ましい。また実施形態ではＩＧＢＴに組み込まれた温度検出用ダイオードの出力電圧をＰＷＭ信号として外部出力する例を示した。しかし本発明は、温度に対して線形な出力特性を有する種々の温度センサの出力をＰＷＭ信号として出力する回路に同様に適用することが可能である。その他、本発明はその要旨を逸脱しない範囲で種々変形して実施することができる。
【符号の説明】
【００３８】
１０  センサ信号出力回路
１１  温度検出用ダイオード
１３  バッファアンプ
１４  演算増幅器
１４ｂ  オフセット調整用抵抗
１４ｃ  ゲイン調整用抵抗
１５  発振器
１６  コンパレータ
１７  ＭＯＳ-ＦＥＴ
２１  オフセット調整手段
２２  ゲイン調整手段
２３  振幅調整手段
【図１】
2015070481.tif 000003
【図２】
2015070481.tif 000004
【図３】
2015070481.tif 000005
【図４】
2015070481.tif 000006
【図５】
2015070481.tif 000007